(57)【要約】【課題】輸送品の外観形状がある程度相違したとしてもこれに追従できるように汎用化し、しかも、輸送時の飛び跳ね等による輸送品の傷付き・汚れを防止するために低コストであると共に、緩衝機能を十分持った物品収納箱を提供する。【解決手段】輸送品等の物品２を収納する収納部１ａを有すると共に、収納部１ａに物品２を収納する際に、物品２の外表面に緩衝部材をあてがって保護した状態で収納部１ａに収納する場合、緩衝部材を、エアを注入することにより膨張展開するエアマット３で構成した。【選択図】図１
2007137487.tif 000002
【特許請求の範囲】
【請求項１】
輸送品等の物品を収納する収納部を有すると共に、該収納部に前記物品を収納する際に、当該物品の外表面に緩衝部材をあてがって保護する状態で前記収納部に収納するように構成する物品収納箱であって、前記緩衝部材を、エアを注入することにより膨張展開するエアマットで構成したことを特徴とする物品収納箱。
【請求項２】
前記エアマットは、基体部に互いに連通する複数の壁状区画マット部を有して構成しており、前記壁状区画マット部間にそれぞれ前記物品を収納することにより前記各物品が区画された状態で前記収納部に収容可能に構成したことを特徴とする請求項１記載の物品収納箱。
【請求項３】
前記エアマットには、エアの出し入れ手段が設置されて、前記エアマットの内室内のエアの出し入れを可能に構成したことを特徴とする請求項１または請求項２に記載の物品収納箱。
【発明の詳細な説明】
【技術分野】
【０００１】
本発明は、輸送品等の物品を収納する収納部を有すると共に、該収納部に前記物品を収納する際に、当該物品の外表面に緩衝部材をあてがって保護する状態で前記収納部に収納するように構成する物品収納箱に関する。
【背景技術】
【０００２】
従来のこの種の物品収納箱としては、例えば特許文献１に記載されたものが知られている。
【特許文献１】特開２００３−１９１９５７号公報。
【０００３】
これによれば、物品である輸送品を収納する収納部を有し、輸送品を収納部に収納し、輸送元から輸送先へ輸送し、輸送先で輸送品を取出した後に輸送元へ返却される通箱であって、緩衝性を有する材料で形成され、同一数量の輸送品を収納できる収納部を有する第１の容器及び第２の容器により構成され、第２の容器が第１の容器内に、収納部を対向させて嵌入可能な大きさに形成されており、空になった容器を返却する際には、第１の容器における収納部内に第２の容器の収納部を対向させて第２の容器を嵌入させることにより、返却時における輸送体積を減少させるようにしたものであり、第１及び第２容器の収容部は、仕切り板により複数個の空間に仕切られており、当該空間を輸送品の収納空間として構成することにより、輸送品間を仕切り板により区画緩衝するように構成したものである。
【０００４】
また、他の従来の技術として、所定の大きさの収納箱に輸送品を収納した場合、輸送品と収納箱の壁との間に形成される空間に、発泡―スチロール等からなる緩衝部材を複数個挿入して、輸送品の緩衝収納するように構成していた。
【発明の開示】
【発明が解決しようとする課題】
【０００５】
しかしながら、前者の例のように、容器内に仕切板を設けて、収納した輸送品を緩衝するようにした場合は、仕切り板により形成される収納空間は輸送品の外観形状によって決められる空間形状とすることが必要であり、また、後者のように、輸送品と収納箱の壁との間に形成される空間に、緩衝部材を挿入して緩衝収納するようにした場合は、当該緩衝部材の形状を輸送品の外観形状に合せた特定の形状に形成しておかなければならず、同一形状の容器内に別の輸送品を収納しようとした場合には、当該別の輸送品の外観形状に適合した別の収納空間形状や緩衝部材を用意しておく必要があり、このために、仕切り板或いは緩衝部材を輸送品の外観形状に適合するように専用化する必要があって、コスト高の要因となっていた。
【０００６】
そこで、本発明は、かかる点に鑑み、輸送品の外観形状がある程度相違したとしてもこれに追従できるように汎用化し、しかも、輸送時の飛び跳ね等による輸送品の傷付き・汚れを防止するために低コストであると共に、緩衝機能を十分持った物品収納箱を提供することを目的としている。
【課題を解決するための手段】
【０００７】
本発明に係る請求項１に記載の物品収納箱は、輸送品等の物品を収納する収納部を有すると共に、該収納部に前記物品を収納する際に、当該物品の外表面に緩衝部材をあてがって保護する状態で前記収納部に収納するように構成する物品収納箱であって、前記緩衝部材を、エアを注入することにより膨張展開するエアマットで構成したことを特徴とする。
【０００８】
かかる構成により、エアマットで構成する緩衝部材の形状はエアの注入量で大きさや緩衝機能の大小を調整できることになり、緩衝部材を汎用化したとしても複数種の物品の外観形状に適合することができることから低コストに提供でき、エアマット故に緩衝機能を十分持っていることになる。
【０００９】
本発明に係る請求項２に記載の物品の収納箱は、請求項１に記載の物品の収納箱におけるエアマットは、基体部に互いに連通する複数の壁状区画マット部を有して構成しており、前記壁状区画マット部間にそれぞれ前記物品を収納することにより前記各物品が区画された状態で前記収納部に収容可能に構成したことを特徴とする。
【００１０】
かかる構成により、例えば基体部よりエアの出し入れを可能に構成しておけば、当該基体部にエアを充填すれば、壁状区画マット部にもエアが充填ざれて膨張展開することになり、エアの注入量を調整することによって、収納する物品の緩衝機能を調整することができると共に、多種類の物品を緩衝機能を持たせて収納することができる。
【００１１】
本発明に係る請求項３に記載の物品の収納箱は、請求項１または請求項２に記載の物品収納箱におけるエアマットには、エアの出し入れ手段が設置されて、前記エアマットの内室内のエアの出し入れを可能に構成したことを特徴とする。
【００１２】
かかる構成により、エアの出し入れ手段を用いることにより、基体部をはじめ壁状区画マット部内のエアの出し入れを簡単にすることができる。
【発明の効果】
【００１３】
上記のように構成する本発明によれば、エアマットで構成する緩衝部材の形状はエアの注入量で大きさや緩衝機能の大小を調整できることになり、緩衝部材を汎用化したとしても複数種の物品の外観形状に適合することができることから低コストに提供でき、エアマット故に緩衝機能を十分持っていることになる。
【発明を実施するための最良の形態】
【００１４】
次に、本発明の実施の形態について、図を用いて説明する。
【００１５】
図１は、本発明にかかる第１の実施の形態を描画した一部展開斜視図である。
【００１６】
図１において、段ボール箱のような箱型を呈する収納箱１の収納部１aに輸送品等複数の物品２を、各物品２の外表面間に緩衝部材を構成するエアマット３をあてがって保護することにより収納している。
【００１７】
エアマット３は、例えばポリエチレン製であって、収納箱１の底部１ｂに敷設する基体部３ａと、基体部３ａの内室に連通する内室を有する複数の壁状区画マット部３ｂとから構成し、壁状区画マット部３ｂは、基体部３ａにたいして互いに離間した状態で立設されており、基体部３ａには、その内室にエアを注入するためのエアの出し入れ手段としてのエア注入パイプ４が設けてある。
【００１８】
エア注入パイプ４には、例えば水泳用の浮き輪に用いるような不図示の逆止弁が設けてあり、一旦基体部３ａ或いは壁状区画マット部３ｂの内室内に注入されたエアを大気に放出されないようになっており、しかも、逆止弁は指で摘んで潰す等することにより、基体部３ａ或いは壁状区画マット部３ｂの内室内のエアを大気に放出することができるように構成されている。
【００１９】
かかる構成により、エアマット３は、エア注入パイプ４よりたとえば工場にあるエア源からエアを注入すれば、基体部３ａより膨張展開し、更には基体部３ａと内室同士が連通している壁状区画マット部３ｂも膨張することになり、互いに隣り合う壁状区画マット部３ｂと基体部３ａによって収納小室１ｃが形成されることになり、各収納小室１ｃに物品２を収納することによって、各物品２は、エアマット３によって緩衝された状態で収納箱１に収納されることになる。
【００２０】
したがって、エアマット３の形状はエアの注入量で大きさや緩衝機能の大小を調整できることになり、緩衝部材を汎用化したとしても複数種の物品２の外観形状に適合することができることから低コストに提供でき、エアマット３故に緩衝機能を十分持っていることになる。
【００２１】
また、基体部３ａに逆止弁付きのエア注入パイプ４を設けたことにより、エアマット３内に注入するエアの量は調整でき、これにより、収納する物品の緩衝機能をも調整することができて、収納する物品の外観形状や性質に適合するように、多種類の物品を収納することができる。
【００２２】
また、基体部３ａと壁状区画マット部３ｂとはその内室に於いて連通しており、エア注入パイプ４を用いて基体部３ａを膨張展開すると共に壁状区画マット部３ｂをも膨張展開することができることから、基体部３ａをはじめ壁状区画マット部３ｂ内のエアの出し入れを簡単にすることができる。
【００２３】
なお、上記実施の形態においては、エア注入パイプ４を基体部３ａに設けたが、これに限定されるものでなく、複数の壁状区画マット部３ｂのどれか一つを選んで設けるようにしてもよい。
【００２４】
図２は本発明の第２の実施の形態における物品の荷姿を描画するために収納箱を仮想線により表した状態の正面図である。
【００２５】
図２によれば、エアマット３を用いて、物品２間の緩衝を行っている点、第１の実施の径態度同様であるが、エアマット３は、前記基体部３ａを有さず、複数の壁状区画マット部３ｂを互いに分割した状態で、構成している点異なっている。
【００２６】
したがって、各壁上区画マット部３ｂは、図示しないが個別にエア注入パイプを有しており、また、物品２に突起２ａ等を有する場合、これを埋没させて緩衝包囲するようになっている。
【産業上の利用可能性】
【００２７】
以上説明したように、本発明は、エアマットで構成する緩衝部材の形状はエアの注入量で大きさや緩衝機能の大小を調整できることになり、緩衝部材を汎用化したとしても複数種の物品の外観形状に適合することができることから低コストに提供でき、エアマット故に緩衝機能を十分持っていることになるために、輸送品等の物品を収納する収納部を有すると共に、該収納部に前記物品を収納する際に、当該物品の外表面に緩衝部材をあてがって保護する状態で前記収納部に収納するように構成する物品収納箱等に好適である。
【図面の簡単な説明】
【００２８】
【図１】本発明にかかる第１の実施の形態を描画した一部展開斜視図である。
【図２】本発明の第２の実施の形態における物品の荷姿を描画するために収納箱を仮想線により表した状態の正面図である。
【符号の説明】
【００２９】
１    収納箱
１ａ  収納部
２    物品
３    エアマット（緩衝部材）
３ａ  基体部
３ｂ  壁状区画マット部
４    エア注入パイプ（エアの出し入れ手段）
【図１】
2007137487.tif 000003
【図２】
2007137487.tif 000004